(57)【要約】【課題】構造が簡素であり、棺を構成する段ボールの反りを防止した段ボール製棺を提供する。【解決手段】ダンボールを構成材とする棺であり、棺本体の側壁、及び蓋体のうち少なくともいずれか一方が段ボールで構成されており、前記段ボールは、外装面に配される化粧層を備えており、外装面の反対側の内面には、折り曲げ用ではない、線状の切れ込みが配されており、前記線状の切れ込みによって段ボールで構成される側壁、又は蓋体の反りを防止した段ボール製棺である。【選択図】図１
2020141785.tif 000002
【特許請求の範囲】
【請求項１】
ダンボールを構成材とする棺であり、
棺本体の側壁、及び蓋体のうち少なくともいずれか一方が段ボールで構成されており、
前記段ボールは、外装面に配される化粧層を備えており、外装面の反対側の内面には、折り曲げ用ではない、線状の切れ込みが配されており、
前記線状の切れ込みによって段ボールで構成される側壁、又は蓋体の反りを防止した段ボール製棺。
【請求項２】
前記段ボールは、第１ライナー、及び第１波状体を含む第１層と、
第２波状体を含む第２層と、
第１層と第２層とを仕切る仕切板とを有しており、
前記切れ込みは、第１ライナー、及び第１波状体を貫通し、仕切板は貫通しない深さである請求項１に記載の段ボール製棺。
【請求項３】
線状の切れ込みは、棺本体の側壁の縦方向に設けられており、棺本体の側壁の下端に達しないように余部を設けた長さである請求項１又は２に記載の段ボール製棺。
【請求項４】
線状の切れ込みは、蓋体の短手方向及び長手方向の両方に配されている請求項１ないし３のいずれかに記載の段ボール製棺。
【請求項５】
蓋体の内面には、蓋の自重を支える補強材が配置される請求項１ないし４のいずれかに記載の段ボール製棺
【発明の詳細な説明】
【技術分野】
【０００１】
本発明は、段ボール製の棺に関する。
【背景技術】
【０００２】
従来は檜、樅、又は桐などの木材で構成した棺が主流であったが、近年では、段ボールで構成した棺が提案されている。
【０００３】
例えば、特許文献１又は２には、段ボールを構成材とし、棺本体の縁部又は棺の蓋の縁部を、棺の内側に折り返した構造を有する棺が開示されている。段ボールを折り曲げて棺の形状となす際には、Ｖ字状の溝を段ボールの裏側に設けて、このＶ字状の溝を利用して、段ボールを折り曲げている。
【０００４】
また、特許文献３には、段ボールを構成材とし、棺の側壁の内側に厚さ２〜１５ｍｍ程度の木質材料からなる補助板を貼着した棺が開示されている。この棺では、棺の底壁、側壁又は天井壁などに補助板が貼着されているため、段ボール製の壁の長さや幅が天気や湿度の影響をうけて変化することが防止されるとされている。
【先行技術文献】
【特許文献】
【０００５】
【特許文献１】特開２００８−２２９１６号公報
【特許文献２】実用新案登録第３１４４２１１号公報
【特許文献３】特開２０１０−１１９７９７号公報
【発明の概要】
【発明が解決しようとする課題】
【０００６】
特許文献１又は特許文献２のような、段ボール製の棺では、湿度の変化によって、棺を構成する段ボールが変形することにより、棺の側壁や棺の蓋などに反りが発生することがあった。
【０００７】
また、段ボールが露出したままでは見栄えが悪いため、段ボールの外側に木目などの模様を有する化粧シートを貼着することがある。化粧シートは、段ボールの外側の面にのみ貼り付けて、段ボールの内側の面には貼り付けられないことが多い。化粧シートは、温度又は湿度の変化や時間の経過によって伸縮することがある。段ボールの外側にのみ化粧シートが貼着されている場合、段ボールの内側の面と外側の面とで伸縮率が相違することとなり、段ボールがより反りやすくなってしまう。
【０００８】
特許文献３のように、木製の補助板を貼着すれば、段ボールの反りを防止することができる可能性がある。しかしながら、補助板を段ボール貼着する工程が増えるため、製造工程が煩雑になるし、棺の重量も増加してしまう。
【０００９】
本発明は、構造が簡素であり、棺を構成する段ボールの反りを防止した段ボール製棺を提供することを目的とする。
【課題を解決するための手段】
【００１０】
ダンボールを構成材とする棺であり、棺本体の側壁、及び蓋体のうち少なくともいずれか一方が段ボールで構成されており、前記段ボールは、外装面に配される化粧層を備えており、外装面の反対側の内面には、折り曲げ用ではない、線状の切れ込みが配されており、前記線状の切込によって段ボールで構成される側壁、又は蓋体の反りを防止した段ボール製棺により、上記の課題を解決する。この段ボール製棺では、外装面には化粧層が配されているため、段ボールの質感を感じさせない棺とすることができる。化粧層の反対側の面には、線状の切れ込みが配されているため、化粧層の伸縮や、湿度又は温度の変化による段ボールの反りを防止して、棺の外観を美しく保つことが可能である。段ボールの反りは、切れ込みによって、防止される。反りを防止するために木製の補助板などを貼着する構成に比して、構造が簡素であるため、その製造も簡素化することができる。
【００１１】
上記の段ボール製棺において、前記段ボールは、第１ライナー、第１波状体、を含む第１層と、第２波状体を含む第２層と、第１層と第２層とを仕切る仕切板とを有しており、前記切込は、第１ライナー、及び第１波状体を貫通し、仕切板は貫通しない深さとすることが好ましい。これにより、段ボールの反りを防止すると共に、棺を構成する材である段ボールの強度が過度に低下することを防止することができる。
【００１２】
上記の段ボール製棺において、線状の切れ込みは、棺本体の側壁の縦方向に設けられており、棺本体の側壁の下端に達しないように余部を設けた長さとすることが好ましい。これにより、棺の側壁の反りを防止すると共に、棺の底部の周辺の強度が過度に低下することを防止することができる。
【００１３】
上記の段ボール製棺において、線状の切れ込みは、蓋体の短手方向及び長手方向の両方に配されるものとすることが好ましい。これにより、化粧層の伸縮や、湿度又は温度の変化による、蓋体の長手方向及び短手方向における、反りを防止することができる。
【００１４】
上記の段ボール製棺において、蓋体の内面には、蓋の自重を支える補強材が配置された構成とすることが好ましい。補強材により、蓋の自重を支えることによって、化粧層の伸縮や湿度又は温度の変化ではなく、蓋の自重によって生じる蓋の撓みを防ぐことができる。
【発明の効果】
【００１５】
本発明によれば、構造が簡素であり、棺を構成する段ボールの反りを防止した段ボール製棺を提供することができる。
【図面の簡単な説明】
【００１６】
【図１】段ボール製棺の一実施形態を示す斜視図である。
【図２】図１の段ボール製棺に使用する段ボールの拡大断面図である。
【図３】図１の段ボール製棺の棺本体を示す斜視図である。
【図４】図３のＡＡ部分における断面図である。
【図５】図１の段ボール製棺の棺本体の表面を示す斜視図である。
【図６】図１の段ボール製棺の棺本体の裏面を示す斜視図である。
【図７】図６のＢＢ部分における断面図である。
【図８】図６のＣＣ部分における断面図である。
【図９】図３の棺本体を分解した状態を示す斜視図である。
【図１０】図９のＤＤ部分における断面図、すなわち第２の外装材の縦断面図である。
【図１１】図９に示した第１の第１の内装材を展開した状態を示す斜視図である。
【図１２】図９に示した、第１の内装材と、第２の内装材とを、展開かつ分解した状態を示す斜視図である。
【図１３】図６に示した蓋体を分解した状態を示す斜視図である。
【図１４】図１３のＥＥ部分における断面図、すなわち第４の外装材の縦断面図である。
【図１５】図６に示した蓋体を分解した状態を示す斜視図である。
【図１６】図６に示した蓋体にカバーを取り付けた状態を示す斜視図である。
【発明を実施するための形態】
【００１７】
以下、段ボール製棺の一実施形態について、図面を参照して、説明する。
【００１８】
本実施形態の段ボール製棺１（以下、単に「棺」と称する。）は、段ボールを構成材としており、図１に示したように、棺本体１１と、蓋体１２とから構成される。棺１は、棺本体１１と、蓋体１２との両方が段ボールで構成されている。そして、その棺本体１１の側壁を構成する段ボール及び蓋体１２を構成する段ボールは、棺１の外装面に配される化粧層１３を備えており、外装面の反対側の内面には、折り曲げ用ではない、線状の切れ込み１４が配されている。線状の切れ込みという場合、切れ込みが破線状に断続的に設けられた形状を含むものとする。
【００１９】
棺本体１１を構成する段ボール及び蓋体１２を構成する段ボールは、共に、図２に示したように、第１ライナー８１及び第１波状体８２を含む第１層８３と、第２波状体８４及び第２ライナー８５を含む第２層８６と、第１層８３と第２層８６とを仕切る仕切板８７とを有している。そして、前記切れ込み１４は、第１ライナー８１及び第１波状体８２を貫通し、仕切板８７は貫通しない深さとされている。第２波状体８４及び第２ライナー８５は、切れ込み１４が貫通していない形状とされているため、第２層８６は無傷の状態とされている。無傷の第２層８６を残すことにより、棺１の強度が向上するようにしている。一方、第１層８３には切れ込み１４が設けられている。切れ込みによって、湿気又は温度の変化に伴う段ボールの収縮が分断され、小さい範囲に細分化される。これによって、湿気又は温度の変化に伴う段ボールの収縮に起因する段ボールの反りや、化粧層を有する面と化粧層を有しない面との収縮率の相違などに起因する段ボールの反りが低減される。そして、段ボールの反りに起因する棺１の側壁や蓋体の変形が低減される。
【００２０】
上記の実施形態に係る棺１では、第１層８３及び第２層８６を有する段ボールを使用した。例えば、第２波状体８４と第２ライナー８５との間に、第２仕切板と、第３波状体と配置して、第３層を有する段ボールを使用してもよい。このように、棺の構成材として使用する段ボールは、２層以上の複数層の段ボールとしてもよいし、単層の段ボールとしてもよい。
【００２１】
線状の切れ込みを設ける本数や、線状の切れ込みの方向は、特に限定されず、棺本体又は蓋体の反りを防止することが可能な本数や方向に設ければよい。例えば、後述する蓋体と同様に格子状になるように設けてもよい。本実施形態の棺１では、図３に示したように、棺本体１１に関しては、棺１の外装面の反対側の内面（内装面）に、複数条の切れ込み１４を棺の短手方向（縦方向）に沿って設けている。これにより、側壁の長手方向における反りを主に防止し、側面の強度が過度に低下しないように構成されている。切れ込み１４は、側壁の下端に達しないように余部１４１を設けた長さとされている。これにより、棺本体１１の底部分の強度が極端に低下しないようにしている。棺の底部分には、ご遺体の荷重が集中するため、強度を高める必要がある。上述のように、余部１４１を設けることによって、棺本体１１の底部分における強度の低下を防ぐことができる。なお、図面では、隠れた構造は、破線で示している。
【００２２】
本実施形態の棺１では、図７及び図８に示したように、蓋体１２に関しては、棺１の外装面の反対側の内面に、複数条の切れ込み１４を棺の短手方向及び長手方向の両方に沿うように設けており、長手方向の切れ込み１４と、短手方向の切れ込み１４とが交差し、格子状になるようにしている。これにより、蓋体１２の長手方向及び短手方向の両方における反りを防止することができるようにされている。切れ込み１４を設ける方向や、切れ込み１４を設ける本数は、特に限定されず、例えば、蓋体１２の長手方向及び短手方向の少なくともいずれか一方に沿う方向に設けてもよい。
【００２３】
蓋体１２に関しては、その内面に線状の切れ込み１４を設けることにより、湿気又は気温の変化や化粧層を設けた面と化粧層を設けていない面とにおける収縮率の相違などに起因する段ボールの反りを防止することができる。しかし、蓋体の寸法によっては、蓋体の自重によって、蓋体が撓む場合がある。棺１では、そのような蓋体１２の自重による撓みを防ぐために、蓋体の内面に蓋の自重を支える補強材として、図６ないし図８に示したように、木製の梁１５を配置している。
【００２４】
図６ないし図８に示したように、木製の梁１５は、蓋体１２の短手方向に沿って複数本設けられており、その一端部と他端部とが蓋体の内面に接する状態で固定されている。補強材は、蓋体１２の自重を支えて、その重みによる蓋の撓みを抑えることができるものであればよい。したがって、例えば、梁を棺の長手方向に沿って設けてもよい。湿気等による蓋体１２の反りを防止するものではないので、上記のような棒状の梁１５を所定の間隔をあけて設ければ、補強材を使用することによる、棺１の重量の増加を低減することができる。補強材として、木製や合成樹脂製の板を蓋体の裏面に貼着してもよいが、軽量化の観点からは、上述の梁を使用することが好ましい。
【００２５】
図８に示したように、本実施形態の棺１で使用した梁１５は、梁１５が蓋体１２の内面に接面する側における一端部と他端部とを切り取った形状となっており、梁１５の中ほどに凸部１５１を備える形状となっている。蓋体１２は、その自重によって、中ほどの部分が撓みやすい。このため、梁１５は、短手方向における中ほどに設けた凸部１５１が蓋体１２の内面に接面していることが好ましく、一端部と他端部とは、梁の重量を小さくするために、切り取った形状とすることが好ましい。
【００２６】
化粧層は、段ボールの上に積層することにより、段ボールの外観を隠すことができるものであればよい。本実施形態の棺１では、化粧層１３として、木目調の模様を有するプラスチックシートと、その裏面に配される粘着剤層とを有するものを使用している。模様は木目調のものに限定されず適宜のものとすることができるし、色彩のみの無模様としてもよい。また、化粧層は、紙製のシートで構成してもよい。
【００２７】
上記の実施形態の段ボール製棺１においては、棺本体１１を構成する段ボールと、蓋体１２を構成する段ボールとの両方に、複数の切れ込み１４が配されている。切れ込み１４は、蓋体を構成する段ボール及び棺本体を構成する段ボールのうち少なくともいずれか一方に設ければよい。
【００２８】
以下、棺１の詳細な構成について説明する。図９に示したように、棺本体１１は、長手方向に沿って延びる一対の側壁１６１と底板１６２とが一体とされた第１の外装材１６と、第１の外装材１６の長手方向における両端部の開口部を閉じる第２の外装材１７（妻材）とを含む。側壁１６１の外装面には、化粧層１３として木目調シートが貼着されている。第２の外装材１７の外装面にも、化粧層１３として木目調シートが貼着されている。そして、第１の外装材１６の側壁１６１に貼着された木目調シートの木目の方向と、第２の外装材１７に貼着された木目調シートの木目の方向とは、一致するように貼着されている。このため、側壁１６１と第２の外装材１７とを観察したときに、木目の方向が一致しており、天然木材を使用した棺であるかのような印象を生じさせることができる。
【００２９】
図１１に示したように、第１の外装材１６には、底板１６２と一対の側壁１６１との境界部に折り曲げ用の溝１８が設けられている。折り曲げ用の溝１８は、線状である。溝の形状は、段ボールを折り曲げるのに適したものであればよく、本実施形態の棺１では、Ｖ字状の溝を採用している。図２等に示したように、上述の反りを防止するための切れ込み１４もＶ字状の溝としている。このため、段ボールに折り曲げ用の溝１８と反り防止用の切れ込み１４とを形成する際に、両者を同じ切削装置を使用することができる。これにより、製造工程をより簡易化している。なお反り防止用の切れ込みは、段ボールの折り曲げ部以外の部分に設けられる。
【００３０】
本実施形態の棺１では、第１の外装材１６は、断面がコの字状の板材が棺の長手方向に沿って延びる形状であり、長手方向における両端部に開口部が設けられた形状である。蓋体１２も同様に、断面がコの字状の板材が棺の長手方向に沿って延びる形状であり、長手方向における両端部に開口部が設けられた形状である。蓋体１２の側壁１９１は、第１の外装材の側壁１６１に比して短い形状とされている。
【００３１】
第２の外装材１７は、第１の外装材１６の開口部を閉じることができる形状であればよく、本実施形態の棺１では、図９及び図１０に示したように、開口部を有する枠体１７１に対して、化粧層１３を積層したダンボール１７２を内嵌した形状のものを使用しており、棺の長手方向に沿う視点から見て、長方形状とされている。枠体１７１には、突縁部１７３が設けられており、図９において矢印で示したように、第１の外装材１６の折り曲げた一対の側壁１６１と底板１６２とによって形成される両端部の開口部に対して枠体１７１の突縁部１７３を嵌め込むことによって、第２の外装材１７を第１の外装材１６に対して固定する。
【００３２】
蓋体１２も、棺本体１１の第１外装材と第２外装材と同様に構成されている。図１３及び図１４示したように、蓋体１２は、長手方向に沿って延びる一対の側壁１９１と天板１９２とが一体とされた第３の外装材１９と、第３の外装材１９の長手方向における両端部の開口部を閉じる第４の外装材２０（妻材）とを含む。側壁１９１及び天板１９２の外装面には、化粧層１３として木目調シートが貼着されている。第４の外装材２０の外装面にも、化粧層１３として木目調シートが貼着されている。そして、第３の外装材１９である側壁１９１に貼着された木目調シートの木目の方向と、第４の外装材２０に貼着された木目調シートの木目の方向とは、一致するように貼着されている。このため、第３の外装材１９の側壁１９１と第４の外装材２０とを観察したときに、木目の方向が一致しており、木材を使用した棺であるかのような印象を与える。
【００３３】
図１３に示したように、第３の外装材１９には、天板１９２と一対の側壁１９１との境界部に折り曲げ用の溝１８が設けられている。折り曲げ用の溝１８は、線状である。溝の形状は、段ボールを折り曲げるのに適したものであればよく、本実施形態の棺１では、Ｖ字状の溝を採用している。
【００３４】
第４の外装材２０は、第３の外装材１９の開口部を閉じることができる形状であればよく、本実施形態の棺１では、開口部を有する枠体２０１に対して、化粧層１３を積層したダンボール２０２を内嵌した形状のものを使用している。枠体２０１には、突縁部２０３が設けられており、図１３において矢印で示したように、第３の外装材１９の折り曲げた一対の側壁１９１と底板１９２とによって形成される両端部の開口部に対して枠体２０１の突縁部２０３を嵌め込むことによって、第４の外装材２０を第３の外装材１９に対して固定する。
【００３５】
図１に示したように、第１の外装材１６と第２の外装材１７とを嵌め合わせて構成した棺本体１１と、第３の外装材１９と第４の外装材２０とを嵌め合わせて構成した蓋体１２とを、合わせると、第２の外装材１７の枠体１７１及び突縁部１７３と、第４の外装材２０の枠体２０１及び突縁部２０３とが当接する。棺本体１１に対して蓋体１２を被せる際には、段ボール同士が接触するのではなく、枠体同士、及び突縁部同士がそれぞれ当接することになるため、棺１の剛性感が向上する。これにより、棺本体に対して蓋体を被せる際の感触が段ボール特有の感触となることを防いでいる。
【００３６】
図３及び図９に示しように、棺本体１１の側壁１６１の上端部には、縁の補強材１６４が嵌められている。本実施形態の棺１では、縁の補強材１６４は、断面がコの字状の長尺部材であり、側壁１６１の上端部に嵌め込むことができる形状とされている。
【００３７】
同様に蓋体１２の側壁１９１の下端部には、図６ないし図８に示したように、縁の補強材１９４が嵌められている。本実施形態の棺１では、縁の補強材１９４は、断面がコの字状の長尺部材であり、側壁１９１の下端部に嵌め込むことができる形状とされている。このため、棺本体１１に対して蓋体１２を被せた際には、縁の補強材１６４と縁の補強材１９４とが当接し、棺本体１１の側壁１６１と蓋体の側壁１９１とが当接する部分においても剛性感が損なわれないようにされている。
【００３８】
図３、図９、及び図１２に示したように、本実施形態の棺１では、棺本体の内面に、第１の内装材２２と、第２の内装材２３とを固定している。第１の内装材２２と、第２の内装材２３とは、長手方向に対して対称で一対の関係となっている。第１の内装材２２は、図１２に示したように、底板２２２と、一対の側壁２２１と、底板２２２と一対の側壁２２１の境界線となる折り曲げ用のＶ字状の溝１８とを含み、底板２２２に対して一対の側壁２２１を上方に折り曲げた状態で第１の外装材１６における棺の底板１６２（図９）に対して固定される。第２の内装材２３は、側壁２３２と、一対の突縁部２３１と、側壁２３２と一対の突縁部２３１の境界線となるＶ字状の折り曲げ用の溝１８とを有する。第２の内装材２３は、側壁２３２に対して一対の突縁部２３１を略直角に折り曲げた状態で、一対の突縁部２３１を、第１の内装材２２の一対の側壁２２１に対して、外側から固定する。さらに、第２の内装材２３の突縁部２３１は、第１の外装材１６の一対の側壁１６１の内面に対して固定される。第２の内装材２３は、第２の外装材１７の段ボール１７２（図１０）に対して固定してもよい。このように本実施形態の棺１では、第１の内装材２２及び第２の内装材２３によって、補強されている。
【００３９】
図４に示したように、第１の内装材２２の側壁２２１と、第１の外装材１６の側壁１６１との間には、第２の内装材２３の突縁部２３１と同程度の隙間が形成されている。この構造により、第１の内装材２２の側壁２２１に、仮に歪みや反りが生じたとしても、その影響が、第１の外装材１６の側壁１６１に及びにくいようになっている。上述の通り、第１の内装材２２の側壁２２１は、第２の内装材２３の突縁部２３１を介して、第１の外装材１６の一対の側壁１６１に対して固定されているので、補強効果が得られるようにされている。
【００４０】
本実施形態の棺１では、第１の内装材２２は、断面がコの字状の板材が棺の長手方向に沿って延びる形状であり、棺の上方からの視点においては長方形状であり、第１の外装材１６に内包される形状であり、第１の内装材２２の側壁２２１の長さは、第２の外装材１６の側壁１６１に比して短くなる形状とされている。そして、一対の第１の内装材２２との間、棺の中ほどには、図３に示したように、隙間が配されている。この隙間によって、第１の内装材２２に歪みが生じた場合に、一方の内装材２２の歪みが、他方の内装材２２に伝達されないようにされている。第２の内装材２３は、棺１の長手方向に沿う視点から見て長方形状であり、第２の外装材１７の突縁部１７３に、第２の内装材２３の側壁２３２が内包される形状となっている。
【００４１】
本実施形態の棺１は、図１６に示したように、蓋体１２の内面又は棺本体１１の内面に、装飾用のカバー１２４を取り付けて使用される。このため、蓋体１２の内面や棺本体１１の内面には、段ボールや切れ込みなどは一切視認されず、木製の棺と遜色ない外観となっている。カバーは、例えば、サテンなどの布地で構成することができる。
【００４２】
本実施形態の棺１の蓋体１２には、図１に示したように、開閉可能に構成された扉が設けられており、第１扉３０１と第２扉３０２とを開くことで、蓋体に設けた貫通孔からご遺体の顔を見ることができるようになっている。
【００４３】
上記の実施形態に係る棺１では、蓋体１２を構成する天板１９２と、一対の側壁１９１と、第４の外装材２０の段ボール２０２は、いずれも、複数層からなる段ボールから構成されている。そして、蓋体１２を構成する天板１９２と、一対の側壁１９１と、第４の外装材２０の段ボール２０２は、いずれもその外装面が化粧層１３で覆われている。
【００４４】
上記の実施形態に係る棺１では、棺本体１１を構成する第１の外装材１６の側壁１６１及び底板１６２と、第２の外装材１７の段ボール１７２と、第１の内装材２２の側壁２２１及び底板２２２と、第２の内装材２３の側壁２３２及び突縁部２３１とは、いずれも複数層からなる段ボールから構成されている。そして、第１の外装材１６の側壁１６１と、第２の外装材１７のダンボール１７２は、いずれもその外装面が化粧層１３で覆われている。
【００４５】
上記の実施形態に係る棺１は、棺本体１１に対して蓋体１２を被せた状態において、直方体状である。棺の形状はこれに限定されず、例えば、蓋体の天板を曲面として構成してもよいし、蓋体及び棺本体の平面視の形状が楕円形となるようにしてもよいし、棺の角が丸くなるように角取りした形状になるようにしてもよい。
【図１】
2020141785.tif 000003
【図２】
2020141785.tif 000004
【図３】
2020141785.tif 000005
【図４】
2020141785.tif 000006
【図５】
2020141785.tif 000007
【図６】
2020141785.tif 000008
【図７】
2020141785.tif 000009
【図８】
2020141785.tif 000010
【図９】
2020141785.tif 000011
【図１０】
2020141785.tif 000012
【図１１】
2020141785.tif 000013
【図１２】
2020141785.tif 000014
【図１３】
2020141785.tif 000015
【図１４】
2020141785.tif 000016
【図１５】
2020141785.tif 000017
【図１６】
2020141785.tif 000018